(57)【要約】 本発明は、歯ブラシに係り、さらに詳しくは、刷毛の植毛された植毛体が歯ブラシのヘッド内で歯の形態に応じて上下、左右に弾性移動しながら歯と刷毛との接触面積および摩擦力をより増大させて歯垢除去効果を極大化し、口腔の衛生に一層役立てることができるようにした歯ブラシに関する。すなわち、本発明の歯ブラシ（１）は、歯ブラシのヘッド（２）に上下方向に一つ以上貫通した貫通孔（３）を設け、前記貫通孔（３）の内部では刷毛（４）の植立された植毛体（５）を歯ブラシのヘッド（２）と分離されないように少なくとも１部分で連結し、前記植毛体（５）がヘッド（２）内で上下、左右に弾性移動できるようにしたことを特徴とする。このような本発明の歯ブラシは、刷毛の植立された植毛体をヘッドの貫通孔を介してヘッド内で自由に上下、左右に弾性移動できるようにして、歯の様々な形態に応じて植毛体が弾性移動しながら刷掃を行うようにすることで、歯と刷毛との接触面積を極大化して刷掃の効果を極大化することができ、それにより口腔の衛生にも役立てることができる。
2015532850.tif 000002
【特許請求の範囲】
【請求項１】
歯ブラシ（１）のヘッド（２）に、上下方向に貫通した貫通孔（３）を設け、
前記貫通孔（３）は、植毛体（５）と前記ヘッド（２）とが分離されないように前記植毛体（５）の前後左右の周りで必要な部分および長さほど１つ以上貫通され、
前記植毛体（５）と前記ヘッド（２）とは１つ以上の連結部（６）によって連結されるようにしたことを特徴とする、歯ブラシ。
【請求項２】
前記植毛体（５）は、前記ヘッド（２）に設けられた貫通孔（３）内で前記ヘッド（２）と前後左右で２つ以上の連結部（６）を構成したことを特徴とする、請求項１に記載の歯ブラシ。
【請求項３】
前記植毛体（５）は多数の個別植毛体（１３）から構成し、
前記個別植毛体（１３）はヘッド（２）に設けられた貫通孔（３）内でヘッド（２）とそれぞれ前後左右で１つ以上の連結部（６）を構成したことを特徴とする、請求項１に記載の歯ブラシ。
【請求項４】
前記個別植毛体（１３）は、一つ以上の植毛孔を有する個別部分植毛体（１２）に分けられ、
前記ヘッドに設けられた貫通孔（３）内で、一つ以上の植毛孔を有する個別部分植毛体（１２）は互いに一つ以上の連結部（６）によって連結されるようにしたことを特徴とする、請求項３に記載の歯ブラシ。
【請求項５】
前記個別植毛体（１３）を、ピン形状からなる軟質合成樹脂材、シリコーンおよび合成ゴムの中から選ばれた一つの材質からなる弾性連結部材（８）によって部分的にお互い連結したことを特徴とする、請求項３に記載の歯ブラシ。
【請求項６】
前記ヘッド（２）と分離させていない植毛体（５）の内部に部分植毛体（９）を形成し、
前記部分植毛体（９）の前後左右で一つ以上の連結部（６）によって植毛体（５）と連結して前記部分植毛体（９）が植毛体（５）の内部で弾性作動するようにしたことを特徴とする、請求項１に記載の歯ブラシ。
【請求項７】
歯ブラシの前記ヘッド（２）内への前記植毛体（５）の弾性作動を補強するために、板ばね、二重針金、撚り合わせられた針金、およびコイルばねの中から選ばれた一つの強化部材（７）によって植毛体（５）と歯ブラシのヘッド（２）とを連結することを特徴とする、請求項１、２、３、４および６のいずれか１項に記載の歯ブラシ。
【請求項８】
前記植毛体（５）を、軟質合成樹脂材、シリコーンおよび合成ゴムの中から選ばれた一つの材質からなる弾性連結部材（８）によって歯ブラシのヘッド（２）と下部で連結したことを特徴とする、請求項１、２、３、４および６のいずれか１項に記載の歯ブラシ。
【発明の詳細な説明】
【技術分野】
【０００１】
本発明は、歯ブラシに係り、さらに詳しくは、刷毛の植毛された植毛体が歯ブラシのヘッド内で歯の形態に応じて上下または左右に弾性移動しながら歯と刷毛との接触面積および摩擦力をより増大させて刷掃による歯垢および食物残渣の除去効果を極大化し、口腔の衛生にも役立てることができるようにした歯ブラシに関する。
【背景技術】
【０００２】
通常、使用されている歯ブラシは、平板型からなるヘッドに、ブラシからなる刷毛が一定の間隔で植毛され、歯の屈曲面に応じて密着性を高めて刷掃の効果を極大化することができるように、刷毛の長さが互いに異なるようにして高低を調整し、或いは直径を太くまたは細くし、或いは様々な形状に配置するなど、様々な方案が講じられているのが実情である。
【発明の概要】
【発明が解決しようとする課題】
【０００３】
ところが、従来の歯ブラシは、刷毛が平板型ヘッドに植毛されるので、刷掃の際に歯の形態に応じて刷毛が密着せず接触面積が小さいため摩擦力も低下し、それにより刷掃の際に歯の表面に均一に刷毛の摩擦力が作用しないため刷掃の効果が半減するしかなかった。よって、本発明は、このような従来の歯ブラシの問題点を解消することが可能な歯ブラシを提供しようとする。
【０００４】
特に、本発明者が既に出願した発明（韓国特許出願第１０−２０１０−００２５４４７号）では、独立に個別製作された植毛体が歯ブラシのヘッド内でいろいろの方法によって下方の弾性部材と接着されるようにする方法で製作され、刷掃の際に植毛体がヘッド内で弾性部材によって上下左右前後方に弾性作動を行うようにした方法で刷毛の摩擦力を増大させるようにした。ところが、本発明では、基本的には、植毛体と歯ブラシのヘッドを分離させず一つの単一材質で一体化させて歯ブラシの射出を可能とすることにより、製作コストを節減することができ、既存の方法よりさらに簡便に弾性作動が可能な歯ブラシを製作することができるようにすることにより、刷掃の際に歯ブラシの刷毛が歯の形態を問わず接触面積が均一化されるようにして、刷毛と歯との摩擦力の増大により歯垢除去効果を極大化することができ、また、製作工程が単純になって歯ブラシの価格が低くなり、すべての人々が低価格でこのような機能性歯ブラシを購入して歯および歯茎の健康の増進に効果的に使用できるようにすることにより、人類の口腔の健康に役立てることができるようにした歯ブラシを提供しようとする。
【課題を解決するための手段】
【０００５】
本発明の歯ブラシは、歯ブラシのヘッド(header)に上下方向に貫通した貫通孔を設け、貫通孔の内部で刷毛の植立された植毛体の少なくとも１部分を歯ブラシのヘッド内でヘッドと前後方の上部または下部で部分的に連結するか、或いは前記植毛体の少なくとも２部分をヘッドと左右側の上部または下部で部分的に連結するか、或いは前記植毛体の少なくとも２部分を前後左右側の上部または下部で連結することにより、刷掃の際に植毛体が歯ブラシのヘッド内で上下または左右に弾性移動できるようにして、歯の形態に応じて刷毛が弾性移動しながら接触面積を最大化させて摩擦力の増大による刷掃の効果を極大化することができるようにしたことを特徴とする。
【発明の効果】
【０００６】
本発明の歯ブラシは、刷毛の植立された植毛体を、歯ブラシのヘッドに上下方向に貫穿された貫通孔の内部に設置し、前記植毛体を、歯ブラシのヘッド内でヘッドと前後方の上下部で部分的に連結するか、或いは左右の上下方で部分的に連結するか、或いは前後左右で部分的に連結し、かつ、機能的に弾性作動が可能な植毛体と把柄部を有する歯ブラシを一度で射出することも可能とすることにより、製作コストを低めることもできる。また、本歯ブラシは、刷掃の際に植毛体が上下または左右に弾性作動できるようにして歯垢除去時に歯と刷毛との接触面積を極大化して刷掃の効果も極大化することができ、それにより口腔の衛生にも役立てることができるなど、その期待される効果が大きい発明である。
【図面の簡単な説明】
【０００７】
【図１】本発明に係る歯ブラシの好適な一実施形態を示す斜視図である。
【図２−６】本発明に係る歯ブラシの要部を抜粋して示す平面図である。
【図７−９】本発明に係る歯ブラシの要部を抜粋して示す正断面図である。
【図１０】本発明に係る歯ブラシの要部を抜粋して示す底面透視図である。
【図１１−１２】本発明に係る歯ブラシの要部を抜粋して示す平面図である。
【図１３】本発明に係る歯ブラシの要部を抜粋して示す底面透視図である。
【図１４】本発明に係る弾性部材の例示図である。
【図１５】本発明に係る歯ブラシの上下左右の弾性移動を説明するための作用状態を示す左断面図である。
【発明を実施するための形態】
【０００８】
以下に添付図面を参照しながら、本発明の好適な実施形態を詳細に説明する。
【０００９】
すなわち、本発明の歯ブラシ１は、図１に示すように、歯ブラシのヘッド２の上下方向に貫通孔３を貫穿するが、前記貫通孔３は植毛体５とヘッド２との間で少なくとも一つ貫穿し、貫通孔３の内部では、刷毛４の植立された植毛体５と歯ブラシのヘッド２とが一体型に連結されるように、植毛体５が歯ブラシのヘッド２内における前後方または左右側の上部また下部で、様々な形態の線、面または棒の形状を持つ少なくとも一つの連結部６によって部分的に連結されるようにすることができる。これを詳しく説明すると、ヘッド２の貫通孔３は、ヘッド２の内側で植毛体５の前後左右の周りで必要とする部分または長さ分だけ少なくとも一つの部分に貫穿される。この際、植毛体５とヘッド２が互いに離れないで一体型となるよう、線、面または棒の形状を持つ連結部６を少なくとも一つ部分的に残して貫通孔３が貫穿されることにより、連結部６の位置、形状または個数に応じて刷掃時に植毛体５がヘッド２の内側で様々な方向に弾性作動をしながら歯と刷毛４との接触面積および摩擦力をより増大させて歯垢除去効果を高めることができ、口腔の衛生に一層役立てることができるようにしたことを特徴とする。このように歯ブラシを構成することにより、刷掃時に手首に受けた様々な方向の力によって刷毛４が歯の形態に応じて先に動くことになり、よって、二次的に刷毛４の植立された植毛体５が力を受けることになる。その結果、その力によって連結部６が一次的に歪まれることになり、これと同時にその力は連結部６に凝縮して瞬間的に原状回復しようとする弾性復元力として作用することにより、植毛体５が上下左右に弾性作動をしながら歯と刷毛４との接触面積および摩擦力をより増大させて歯垢および食物残渣の除去効果を高めることができ、口腔の衛生に一層役立てることができるようにしたことを特徴とする。
【実施例】
【００１０】
このため、本発明では、ヘッド２に設けられる貫通孔３が刷毛４の植立される植毛体５の周りよりは広く、前記植毛体５が歯ブラシのヘッド２の貫通孔内でヘッド２と分離されていないままで、前後方の上部または下部で或いは左右側の上部または下部で或いは前後方左右側の上部または下部で、様々な太さと線、面、棒などの様々な形状を持つ連結部６によって植毛体５とヘッド２は少なくとも一つの部分で連結されるようにして、既存の方法と同様に植毛体５の弾性作動のために二重射出方法または高周波接着などの様々な方法を使用することができるとともに、歯ブラシの製作時に単射出方法も使用することにより作業時間を節減し且つ金型費および材料費を節減することができるという多くの利点がある。また、歯ブラシを射出するときに、ヘッド２とヘッド２の貫通孔３内に設けられている植毛体５とを同時に作ることができる。
【００１１】
一つの実施形態として、図２の実施形態では連結部６がヘッド２と植毛体５との間の前後方に位置しており、図３の実施形態では連結部６がヘッド２と植毛体５との間の左右側に位置しており、図４の実施形態では植毛体５を２つの部分に分けており、図５の実施形態では植毛体５内で必要な部分のみを切って部分植毛体９を作ったが、部分植毛体９は長方形または正方形または様々な形状に作ることができ、図６の実施形態ではヘッド２と植毛体５との間の前方の一部分に連結部６を位置させ、刷掃時に植毛体５の動きの幅を必要に応じて制限することができるようにヘッド２に凸状突起１０を、植毛体５には該凸状突起に対応する凹溝１１をそれぞれ設けるなど、上述のように必要に応じて数多くの方法を適用することができる。
【００１２】
図７および図８の実施形態の断面図に示すように、連結部６がヘッド２と植毛体の前後方の上部または下部で部分的に連結され、図９の例示では、前記植毛体５が歯ブラシのヘッド２内で、軟質合成樹脂材、シリコーンおよび合成ゴムの中から選ばれた一つの材質からなる弾性連結部材８を介して二重射出や高周波接着などの様々な方法のいずれか一つで連結されることにより、刷掃の際にヘッド２内で動く植毛体５の弾性力をより強化させたことを示している。図１０は、弾性連結部材８が適用されたときの歯ブラシ１の下部の透視図を示しているが、このような弾性連結部材８は、図８で適用したのと同様に、上述した図１、図２、図３、図４、図５、図１１、図１２および図１３の例示でも適用することができ、植毛体５の弾性が必要な部分に対して弾性連結部材８の多様な適用が可能である。
【００１３】
図１１の例示で４列の例を基準としたときの場合をみれば、弾性作動のために植毛体５を４つの個別植毛体１３ａ〜個別植毛体１３ｄに区分して横方向に分離したが、必要に応じては縦方向に個別分離することも可能である。したがって、上記の例示から分かるように、必要に応じては、両側の１列２つと中央の２列２つに区分して３部分に分節することにより両側部位のみ弾性作動を行うようにするか、両側部位をそのままにしておいたまま中央の２列のみ分離して中央列部位のみ弾性作動を行うようにすることができ、両側２列ずつ２部分に分節して２列ずつ弾性作動を行うようにすることもできる。また、縦の分節が必要な場合には、横の分節で使用したように、必要に応じて様々に縦の分節を行って弾性作動するようにすることができ、場合によっては植毛体５の中央部分のみ四角形の形状に分節してその部分のみ動くようにすることもできる。前述したように、本発明の図１１に例示するように、横４列に刷毛が植毛された場合を例として説明しており、４つの部分に分節されたそれぞれの個別植毛体１３が歯ブラシのヘッド２の貫通孔内における上下部または上部または下部でヘッド２に前後方に様々な形態の線または面の形状に細く部分的に連結されることにより、刷掃の際に個別植毛体１３が歯ブラシのヘッド２内で左右に弾性作動するようにした。また、ここで、植毛体５を分節または分離するということは、この明細書の流れからみて、植毛体５とヘッド２との連結がない完全な切断を意味するのではなく、植毛体５がヘッド２に１つ以上の部分で連結部６によって連結されていることを意味すると明らかに明示しようとする。
【００１４】
また、必要に応じては、個別植毛体１３ａ〜個別植毛体１３ｄの間に、ピン形状からなる数個の弾性連結部材８を、部分的にゴム射出し或いは高周波接着などの方法で固定させることもできる。
【００１５】
勿論、前記ヘッド２は、図示の如く、平面視で長方形や長楕円形などの様々な形状に実施可能であり、ヘッド２が長楕円形からなる場合、貫通孔３および植毛体５も長楕円形からなるように製作することができる。
【００１６】
図１２では、個別植毛体１３をさらに、一つまたはそれ以上必要な個数だけの植毛孔を有する個別部分植毛体１２に切断し、個別部分植毛体１２の前後左右で個別部分植毛体を互いに１つ以上の連結部６によって連結することにより、ヘッド２内で格子状に多くの個別部分植毛体１２を形成してヘッド２内で弾性作動することもできる。これをより詳しく説明すると、前記個別植毛体１３を、１つ以上の植毛孔を有する多数の個別部分植毛体１２に切断し、ヘッド２内に設けられた貫通孔３において、１つ以上の植毛孔を有する個別部分植毛体１２はそれぞれの個別部分植毛体１２の前後左右側で互いに１つ以上の連結部６によって連結されるようにし、特に個別植毛体１３ａと個別植毛体１３ｄを分けた個別部分植毛体１２は図示の如くヘッド２と側面で連結部６によって連結されるようにすることもできる。よって、多数個に分けられた個別部分植毛体１２は、歯ブラシのヘッド２内で互いに網のように連結されて弾性作動できるようにした。
【００１７】
図１３の例示ではヘッド２と植毛体５の弾性力をより強化させるために強化部材７を使用したことを示しており、図１４の例示では様々な強化部材７を示している。刷掃の際にヘッド２内で動く植毛体５の弾性力をより強化させるために、射出の前に、人体に無害な各種材質および種類の強化部材７を使用することができる。たとえば、長方形の薄い板ばねやヘアピン型の二重針金、多数本撚り合わせられた針金、コイルばねなどを用いてヘッド２と植毛体５とが連結された上部または下部に横または縦に金型内に固定させて歯ブラシの射出を行うか、歯ブラシの射出後にいずれか一つの強化部材７を選択してヘッド２と植毛体５に嵌め込むことにより、刷掃の際によりさらに植毛体５の弾性作動が確実に行われるように構成することもできる。図６の例示では、ヘッド２内の前方または後方でヘッド２に一つの連結部６によって連結された植毛体５が左右に弾性作動する様子を断面図で示した。
【００１８】
上述のように構成できる本発明の歯ブラシ１を用いて刷掃を行うと、歯の形態に応じて刷毛４の植立された植毛体５が上下または左右に弾性移動をしながら刷毛４と歯との接触面積が極大化されることにより、より効果的な刷掃を行うことができる。これは、刷毛４の植立された植毛体５がヘッド２に固定されており、前記植毛体５がヘッド２の貫通孔３に比べて短い横、縦の幅を持つため、刷掃の際にヘッド２内で上下または左右に弾性作動する植毛体５の遊隔を確保することができて、刷掃の際に植毛体５が弾性移動して刷毛４が歯の形態に応じて移動しながら接触面積および摩擦力を増大させて刷掃の効果を倍加することができる。
【産業上の利用可能性】
【００１９】
本発明は、歯ブラシの利用者によって歯に無理に加えられる圧力を調節して刷掃による歯の摩耗および歯周組織の損傷を最小化し、歯周疾患のある患者に有用なバス法に準じた刷掃をより容易に使用することができるようにして、歯肉の清潔および歯周組織の健康に役立てることができる。
【図１】
2015532850.tif 000003
【図２】
2015532850.tif 000004
【図３】
2015532850.tif 000005
【図４】
2015532850.tif 000006
【図５】
2015532850.tif 000007
【図６】
2015532850.tif 000008
【図７】
2015532850.tif 000009
【図８】
2015532850.tif 000010
【図９】
2015532850.tif 000011
【図１０】
2015532850.tif 000012
【図１１】
2015532850.tif 000013
【図１２】
2015532850.tif 000014
【図１３】
2015532850.tif 000015
【図１４】
2015532850.tif 000016
【図１５】
2015532850.tif 000017
【国際調査報告】
2015532850.tif 000018
2015532850.tif 000019
2015532850.tif 000020
2015532850.tif 000021